(57)【特許請求の範囲】
【請求項１】
使用者の体重および運動による加重に耐えられる材質で形成された複数の棒状回転ローラーと、該棒状回転ローラーを着脱自在、かつ、回転自在に連設保持している側面板とから構成された運動技能向上用具であって、該側面板は、高さ変更穴が配設された左右の側面板と、該側面板の接地面において左右並行に直交して支持部が設けられており、前記棒状回転ローラーは側面板の上部に、湾曲山型状に、着脱自在、かつ、回転自在に連設保持されていることを特徴とする棒状回転ローラーを連設した固定式運動技能向上用具。
【発明の詳細な説明】
【０００１】
【発明の属する技術分野】
本発明は、単一の回転ドラム、または棒状回転ローラーを用いてスポーツの技能や運動技能習得の基礎的練習のためのものである。また、自転車競技・競輪選手などのための脚力強化を目的としたものである。
【０００２】
【従来の技術】
従来、運動者の跳躍、走り高跳び、跳馬、水泳とび込み、自転車競技、ローラージャンプなどの運動においては、運動者が走行開始時点から対象用具に向かって走行し、抜き脚、振り上げ脚、ジャンプ、ひねりなどの練習を積み重ねてきたものである。そのために運動用具の改善に進歩が見られなかった。
【０００３】
【発明が解決しようとする課題】
本発明は、従来技術の欠点を解消し、単一の回転ドラム、または棒状回転ローラーを用いてスポーツの技能や運動技能修得の基礎的練習を重ね、あるいは、自転車競技・競輪選手などのための脚力強化を図ろうとしたものである。
【０００４】
【課題を解決するための手段】
本発明は、従来の運動用具の欠点を解消するために提案するもので、第１実施例は、使用者の体重および運動による加重に耐えられる材質、たとえば木材、プラスチックなどで形成された単一回転ドラム１を、高さ変更穴３が配設された左右の回転ドラムシャフト２に、着脱自在、かつ回転自在に支持し、該回転ドラムシャフト２の先端は接地面において左右並行に直交して支持部４を設けた単一回転ドラム１を利用した運動技能向上用具である。
【０００５】
第２実施例は、使用者の体重および運動による加重に耐えられる材質、たとえば木材、プラスチックなどで形成された複数の棒状回転ローラー５を、高さ変更穴１５が配設された左右の側面板１６の上部に、着脱自在、かつ回転自在に連設保持し、該側面板１６の底面は、接地面において左右並行に直交して支持部１７を設けた棒状回転ローラー５を連設した運動技能向上用具である。
【０００６】
第３実施例は、使用者の体重および運動による加重に耐えられる材質、たとえば木材、プラスチックなどで形成された複数の棒状回転ローラー２０を、着脱自在、かつ、回転自在に本体の上部かまぼこ状部３０に連設保持した本体６と、地面に接する基礎箱２６と、単一または複数の中箱７とで構成される棒状回転ローラー２０を連設したボックス型運動技能向上用具である。
【０００７】
第４実施例は、使用者の体重および運動による加重に耐えられる材質、たとえば木材、プラスチックなどで形成された複数の棒状回転ローラー２１を、高さ調節部８に連設して着脱自在、かつ回転自在にアーチ状に保持し、着地部にスポンジマット１１を配設した棒状回転ローラー２１をアーチ状に連設した運動技能向上用具である。
【０００８】
第５実施例は、使用者の体重および運動による加重に耐えられる材質、たとえば木材、プラスチックなどで形成された複数の棒状回転ローラー２２を、高さ調節部２７に連設して着脱自在、かつ回転自在にアーチ状に保持し、手前に踏み台９、着地部に着地マット１０を配設した棒状回転ローラー２２を連設した運動技能向上用具である。
【０００９】
第６実施例は、使用者の体重および運動による加重に耐えられる材質、たとえば木材、プラスチックなどで形成された複数の棒状回転ローラー２８を、飛び込み台１８から若干離隔してへの字状に、着脱自在、かつ回転自在に保持し、先端をプール１３の水面上または水中に位置させた棒状回転ローラー２８を連設した水泳用飛び込み練習用運動技能向上用具である。
【００１０】
第７実施例は、使用者の体重および運動による加重に耐えられる材質、たとえば木材、プラスチックなどで形成された複数の棒状回転ローラー２３を、湾曲山形状に、着脱自在、かつ回転自在に連設保持した棒状回転ローラー２３を連設した運動技能向上用具である。
【００１１】
第８実施例は、使用者の体重および運動による加重に耐えられる材質、たとえば木材、プラスチックなどで形成された棒状回転ローラー２３個々の表面に、均一、または間欠的に任意の凸起物２９を配設した棒状回転ローラー２３を連設した運動技能向上用具である。
【００１２】
第９実施例は、使用者の体重および運動による加重に耐えられる材質、たとえば木材、プラスチックなどで形成された複数の棒状回転ローラー２４を、湾曲凹状に、着脱自在、かつ回転自在に連設保持した棒状回転ローラー２４を連設した運動技能向上用具である。
【００１３】
第１０実施例は、使用者の体重および運動による加重に耐えられる材質、たとえば木材、プラスチックなどで形成された複数の棒状回転ローラー２５を、跳躍基台１２に連設して着脱自在、かつ回転自在に斜面状に保持した棒状回転ローラー２５を連設した運動技能向上用具である。
【００１４】
第１１実施例は、多数のローラー群により構成された曲面の滑走面をスキー、スノーボード、ソリなどの滑走面にしたことを特徴とし、たとえばローラーシャンツェ３１とローラーバーン１９など多数のローラー群により構成された棒状回転ローラーを連設した運動技能向上用具である。
【００１５】
使用者の体重、運動による加重、使用自転車の重量などを含めて、それらの重量に耐えられる材質、たとえば木材、プラスチックなどで形成された複数の棒状回転ローラー３４、３５を着脱自在、かつ回転自在に、平坦（第１２実施例）、あるいは斜面状（第１３実施例）に連設保持し、自転車のペダルを踏む運動者のペダル回転に連動して回動する車輪３２，３３が、棒状回転ローラーの接輪部を回動させる自転車用運動技能向上用具である。
【００１６】
運動者の跳躍、走り高跳び、跳馬、水泳とび込み、自転車競技、ローラージャンプなどの運動に際して、運動者が走行開始時点から運動技能向上用具に向かって走行し、跳躍、走り高跳び、跳馬、水泳とび込み、自転車競技、ローラージャンプなどの運動開始などの時点で、接地面に設置している踏圧シート３７などを踏圧した瞬間に第１発信装置３８から踏圧記録を携帯情報端末４１に送信し、跳躍などに際して、運動技能向上用具の複数箇所に設置している接触センサ３９が運動者に接触した際、第２発信装置４０が作動して、接触記録を携帯情報端末４１に送信するとともに、運動者の跳躍の可能性と限界を推定し、かつ、運動者の運動時間をも記録することを特徴とする運動技能向上用具を用いた運動技能向上システムである。
【００１７】
【発明の効果】
本発明は、単一の回転ドラム、または棒状回転ローラーを用いてスポーツの技能や運動技能習得の基礎的練習のためのもので、自転車競技・競輪選手などのための脚力強化ばかりか、スポーツ技術修得にも役立ち、すぐれた効果が見られるようになった。
【００１８】
本発明は、使用者の体重および運動による加重に耐えられる材質、たとえば木材、プラスチックなどで形成された単一回転ドラム１を、高さ変更穴３が配設された左右の回転ドラムシャフト２に、着脱自在、かつ回転自在に支持しているため、運動者の能力に応じて単一回転ドラム１の位置を簡単に調節することができるので、スポーツ技術修得に大きく貢献できるようになった。
【００１９】
また、従来技術の欠点を解消し、単一の回転ドラム、または棒状回転ローラーを用いてスポーツの技能や運動技能習得の基礎的練習を重ね、あるいは、自転車競技・競輪選手などのための脚力強化を図れるようになった。
【００２０】
さらに、使用者の体重および運動による加重に耐えられる材質で形成された複数の棒状回転ローラーを用いているため、体感的に技術を学ぶことができるようになった。
【図面の簡単な説明】
【図  １】単一の回転ドラムを装着した運動技能向上具。
【図  ２】複数の棒状回転ローラーを装着した固定式運動技能向上具。
【図  ３】複数の棒状回転ローラーを装着したボックス型運動技能向上具。
【図  ４】複数の棒状回転ローラーをアーチ状に装着した運動技能向上具。
【図  ５】複数の棒状回転ローラーをアーチ状に装着した運動技能向上具の他の実施例。
【図  ６】複数の棒状回転ローラーをへの字状に装着した運動技能向上具。
【図  ７】複数の棒状回転ローラーを凸状に装着した運動技能向上具。
【図  ８】複数の棒状回転ローラの表面に突起物を配設した運動技能向上具。
【図  ９】複数の棒状回転ローラーを凹状に装着した運動技能向上具。
【図１０】複数の棒状回転ローラーを斜状に装着した運動技能向上具。
【図１１】複数の棒状回転ローラーを連設したローラーシャンツェとローラーバーンで構成するローラージャンプ用運動技能向上具。
【図１２】複数の棒状回転ローラーを平面に連続的に設置した自転車用運動技能向上具。
【図１３】複数の棒状回転ローラーを傾斜角を持たせて平面に連続的に設置した自転車用運動技能向上具。
【図１４】運動性能向上システムのフローチャート。
【符号の説明】
１：単一回転ドラム
２：回転ドラムシャフト
３：高さ変更穴
４：支  持  部
５：棒状回転ローラー
６：本    体
７：中    箱
８：高さ調整部
９：踏  み  台
１０：着地マット
１１：スポンジマット
１２：跳躍基台
１３：プ  ー  ル
１４：固定ピン
１５：高さ変更穴
１６：側  面  板
１７：支  持  部
１８：飛び込み台
１９：ローラーバーン
２０：棒状回転ローラー
２１：棒状回転ローラー
２２：棒状回転ローラー
２３：棒状回転ローラー
２４：棒状回転ローラー
２５：棒状回転ローラー
２６：基  礎  箱
２７：高さ調節部
２８：棒状回転ローラー
２９：突  起  物
３０：上部かまぼこ状部
３１：ローラーシャンツェ
３２：自  転  車
３３：自  転  車
３４：棒状回転ローラー
３５：棒状回転ローラー
３６：踏  み  台
３７：踏圧シート
３８：第１発信装置
３９：接触センサー
４０：第２発信装置
４１：携帯情報端末
【図１】
0004689892.tif 000002
【図２】
0004689892.tif 000003
【図３】
0004689892.tif 000004
【図４】
0004689892.tif 000005
【図５】
0004689892.tif 000006
【図６】
0004689892.tif 000007
【図７】
0004689892.tif 000008
【図８】
0004689892.tif 000009
【図９】
0004689892.tif 000010
【図１０】
0004689892.tif 000011
【図１１】
0004689892.tif 000012
【図１２】
0004689892.tif 000013
【図１３】
0004689892.tif 000014
【図１４】
0004689892.tif 000015